(57)【要約】【課題】ＬＥＤ光源と導光体とからなる線状光源を有する読取装置用線状光源装置において、個別的に色見の異なるＬＥＤ光源の色見を調整し、複数種類のインクを用いた印刷物を的確に読取、また、紙とフィルムといった異なった読取対象にも対応できる読取用線状光源装置を提供することである。【解決手段】前記線状光源は、それぞれＬＥＤ光源と、主反射面と副反射面を有する導光体を備えた２つの線状光源が対向配置され、一方の導光体の副反射からの反射光が、他方の導光体の副反射面に向けて出射されるようにされていることを特徴とする。【選択図】  図２
2013098144.tif 000002
【特許請求の範囲】
【請求項１】
ＬＥＤ光源と導光体とからなる線状光源を有する読取装置用線状光源装置において、
前記線状光源は、第１のＬＥＤ光源と第１の棒状の導光体を備える第１の線状光源と、第２のＬＥＤ光源と第２の棒状の導光体を備える第２の線状光源とが対向配置された一対の線状光源であり、
前記一対の線状光源のそれぞれの導光体は、前記ＬＥＤ光源が対向する、長手方向の端部に設けられた光取込端面部と、
当該光取込端面部からの入射光を長手方向に対して垂直な方向に変向して原稿読取面に向けて反射する長手方向に伸びる主反射面と、
前記入射光を互いに他方の導光体の副反射面に向けて反射する長手方向に伸びる副反射面と、
を有することを特徴とする読取装置用線状光源装置。
【請求項２】
前記第１のＬＥＤ光源と前記第２のＬＥＤ光源の発光主波長が異なることを特徴とする請求項１に記載の読取装置用線状光源装置。
【請求項３】
前記第１のＬＥＤ光源は白色を出射し、前記第２のＬＥＤ光源は青系色を出射することを特徴とする請求項２に記載の読取装置用線状光源装置。
【発明の詳細な説明】
【技術分野】
【０００１】
この発明は読取装置用線状光源装置に関するものであり、特に、ファクシミリ、複写機、イメージスキャナー、バーコードリーダ等に使用される画像読取装置の照明用光源として利用される線状光源装置に係わるものである。
【背景技術】
【０００２】
近年、パーソナルファクシミリ等の画像読取装置において、発光ダイオード（以下、ＬＥＤという）の出力向上と受光素子としてのＣＣＤ型センサの高感度化により、小型で低消費電力のＬＥＤが読取光源装置の光源として使用されるようになってきている。
上記従来技術として、特開２００８−２１６４０９号公報（特許文献１）がある。
図７に、該従来技術の線状光源が示され、図８に、該線状光源が組み込まれた読取装置が示されている。
【０００３】
図７（Ａ）において、線状光源５０は、ＬＥＤ光源５１と、棒状の導光体５２とからなり、ＬＥＤ光源５１は、この導光体５２の長手方向（軸方向）端面５２ａに対向するように配置されている。図７（Ｂ）に示すように、棒状の導光体５２の側面には、長手方向に沿って伸びる主反射面５３と、同じく長手方向に沿って伸びる副反射面５４とが形成されている。
そして、主反射面５３と、副反射面５４とは、各々の反射面による反射光が互いに異なる方向に出射するように配置されており、より具体的には主反射面５３の法線と、副反射面５４の法線とが導光体５２中で交わるように設けられている。
【０００４】
上記において、ＬＥＤ光源５１より発せられた光は、棒状の導光体５２の長手方向端面５２ａから導光体５２の内部に入射する。導光体５２に入射した光は、該導光体５２の内部を、反射を繰り返しながら軸方向に進行する。
導光体５２の内部を進行する光は、一部が主反射面５３または副反射面５４に反射されて、導光体５２の長手方向に対して垂直な方向に出射される。
【０００５】
図８に、ＬＥＤ光源５１と導光体５２とからなる線状光源５０が組み込まれた読取装置が示されている。
導光体５２は、その主反射面５３からの光が原稿ガラス５５の原稿読取面Ｘに向かうように配置される。
また、前記導光体５２に対向するように反射鏡５６が設けられていて、導光体５２の副反射面５４に対向配置されている。
上記構成において、導光体５２の主反射面５３より反射された光は、導光体５２の光出射面より外部に放射され、原稿読取面Ｘへ向かう
一方、副反射面５４より反射された光は、光出射面より外部に放射され、反射鏡５６によって反射されて原稿読取面Ｘに向かう。
これにより、この線状光源を搭載した原稿読取装置は、１の線状光源により原稿面に対して２方向から線状光を照射することができ、読取対象物が原稿面から離間したり立体的に配置されたりしている場合であっても、撮像素子に影を生じることなく対象物を読み取らせることができるというものである。
【０００６】
また、２つの線状光源を対に配置して用いる原稿読取装置も特開２０１１−１０１０９８号公報（特許文献２）で開示されている。
図９にその概要が示されていて、同一の発光素子（ＬＥＤ）を有する第１導光体６０と第２導光体７０を対向並列配置し、これらの導光体６０、７０はそれぞれ２つの反射面６１、６２、７１、７２を有する。そして、これらの導光体６０、７０の前記反射面６１、６２、７１、７２からの反射光はいずれも原稿読取面Ｘに向かうものである。
これにより、原稿を２方向から照射して副走査方向での照度のばらつきを低減し、かつ、読取時に影をなくそうとするものである。
しかしながら、この従来例でも、そのＬＥＤ光源は同一波長を発光するものであって、同じ波長の光を２方向から照射するものである。
【０００７】
ところで近年、原稿読取装置には、付加価値を高めるために紙の書類以外にも様々な対象物を読み取る多様な機能を追加することが求められている。
一例を挙げれば、ネガフィルムを読み取る機能であり、フィルムにより所蔵している写真をデジタルデータとして保存したいという需要や、レントゲン写真などをデジタルデータとして取り扱いたいという需要がある。
ところが、ネガフィルムを読み取るために照射する光には、紙の書類を対象としたカラースキャンとは異なる特性が求められる。
紙の書類をカラーで読み取る場合は、白色光源（色度ｘ：ｙ＝０．３２５：０．３２５）が好ましいが、ネガフィルムを読取る場合は、上記白色に加えて青系色を混ぜ合わせた青色味の強い白色光源（色度ｘ：ｙ＝０．２３６：０．３２９）が好ましいことが知られている。
この理由は、ネガフィルムに光沢性があって白色光の反射が強いことと、フィルム自体に光透過性があって照射光を透過してしまうことによって、光を照射して得られる反射光の特性が紙とは異なるためである。
【０００８】
また、上記のごとく紙の書類の読取には白色のＬＥＤ光源が使用される。白色のＬＥＤ光源は、青色を放射させる青色ＬＥＤ光源と、その周りを取り囲むように配置された、青色を照射することにより黄色を発色する蛍光体（黄色蛍光体）とから構成されており、青色光と、黄色蛍光体により波長変換された黄色光と、の混色により擬似的に白色光を実現している。
ただし、黄色蛍光体の発光効率は、青色ＬＥＤ光源から放射される発光波長（ピーク波長）と、黄色蛍光体の含有量に依存する励起光量の度合いと、により変化する。加えて、蛍光体の厚さのバラツキにより、青色光と黄色光の混色度合いが変化する。
このような事情から、白色ＬＥＤ光源といっても厳密には全光束量と、色度値が個別的にばらついている。
このように色度の異なる白色光を発光するＬＥＤを搭載すると複写機の性能（色再現性）にバラツキが生じ、品質的に問題が生じてしまう。その対策として、一定の基準でＬＥＤを選別することも考えられるが、基準外のＬＥＤは廃棄され、更には、選別工程といった工数増加によりコストアップとなるため不経済である。
【０００９】
また更には、同一の読取対象物であっても、紙幣とか、複数種のインクを用いたものとか、その読取に複数種の波長光が必要とされる読取対象が存在している。そのためには、当然単一波長の光源ではその読取ができず、複数の波長光を照射する光源装置が必要である。
【００１０】
以上により、第一に、ひとつのＬＥＤ光源では、読取り対象原稿として紙とフィルムの両方を読み取ることは困難であるという問題があった。
また、第二には、複数のインク等により印刷された対象物には、異なる発光波長の光を照射できるものでなくては読み取れないという問題があった。
そして更に、第三には、同じ種類のＬＥＤ光源でも、色度にばらつきが有り、これに起因して複写機の色再現性に不具合が生じるという問題があった。
【先行技術文献】
【特許文献】
【００１１】
【特許文献１】特開２００８−２１６４０９号公報
【特許文献２】特開２０１１−１０１０９８号公報
【発明の概要】
【発明が解決しようとする課題】
【００１２】
この発明は、上記従来技術の問題点に鑑みて、ＬＥＤ光源と導光体とからなる線状光源を有する読取装置用線状光源装置において、多様な原稿に的確に対応してその読取を可能とし、また、ＬＥＤ光源の個別的な色度のばらつきに起因する複写機の色再現性の不具合を改善した構造を提供せんとするものである。
【課題を解決するための手段】
【００１３】
上記課題を解決するために、この発明に係る読取装置用線状光源装置は、前記線状光源を、第１のＬＥＤ光源と第１の棒状の導光体を備える第１の線状光源と、第２のＬＥＤ光源と第２の棒状の導光体を備える第２の線状光源とが対向配置された一対の線状光源であり、該一対の線状光源のそれぞれの導光体が、前記ＬＥＤ光源が対向する、長手方向の端部に設けられた光取込端面部と、当該光取込端面部からの入射光を長手方向に対して垂直な方向に変向して原稿読取面に向けて反射する長手方向に伸びる主反射面と、前記入射光を互いに他方の導光体の副反射面に向けて反射する長手方向に伸びる副反射面と、を有することを特徴とする。
【００１４】
また、前記第１のＬＥＤ光源と前記第２のＬＥＤ光源の発光主波長が異なることを特徴とする。
更には、前記第１のＬＥＤ光源は白色を出射し、前記第２のＬＥＤ光源は青系色を出射することを特徴とする。
【発明の効果】
【００１５】
この発明の読取装置用線状光源装置によれば、一対の線状光源を対向配置することにより、例え２つのＬＥＤ光源の色度が異なったとしても、これら色度の異なる２つのＬＥＤ光源を組み合わせて混色し、最終的に得られる線状光の色味を調節することができるという効果がある。
また、２つのＬＥＤ光源の発光主波長を異なるものとすることにより、同一の読取対象物であっても、複数種類の波長光が必要とされるものに的確に対応できる。
更には、白色ＬＥＤ光源と青色系色ＬＥＤ光源を用いることにより、紙とフィルムという異なる種類の原稿を読み取ることが可能となる。
【図面の簡単な説明】
【００１６】
【図１】本発明の読取装置用線状光源装置の正面図。
【図２】図１のＡ−Ａ断面図。
【図３】本発明の作用説明図。
【図４】図３の更に別の作用説明図。
【図５】本発明の他の実施例の上面図。
【図６】更に他の実施例の上面図。
【図７】ＬＥＤ線状光源の説明図。
【図８】従来の読取装置用線状光源装置。
【図９】別の従来の読取装置用線状光源装置。
【発明を実施するための形態】
【００１７】
図１は、本発明の読取装置用線状光源装置を示す上面図であり、線状光源装置は、第１の線状光源１と、第２の線状光源２とを有し、台状フレーム３、３およびこれらの間に設けられた棒状フレーム４、４によって固定されて、互いに対向配置されている。この台状フレーム３にはＬＥＤの熱を逃がすためのヒートシンク５が設けられている。
それぞれの線状光源１、２は、ＬＥＤ光源１２、２２を有し、これがそれぞれ棒状の導光体１３、２３の端部に対向して配置されている。即ち、第１の線状光源１は、第１のＬＥＤ光源１２と第１の棒状導光体１３とからなり、また、第２の線状光源２は、第２のＬＥＤ光源２２と第２の棒状導光体２３とからなっていて、これらの第１の導光体１３と第２の導光体２３とは互いに平行に配置されている。
そして、この実施例では、これらの第１および第２の線状光源１、２は、第１および第２のＬＥＤ光源１２、２２の位置が反対側に位置するように配置されている。前記ヒートシンク５、５は、これらのＬＥＤ光源１２、２２に当接して設けられている。
【００１８】
図２に示されるように、それぞれ台状フレーム３と棒状フレーム４に支持固定された棒状導光体１３、２３には、長手方向に伸びる主反射面１４、２４と副反射面１５、２５がそれぞれ形成されている。
第１の線状光源１における第１の棒状導光体１３における主反射面１４は、ＬＥＤ光源１２からの入射光を長手方向に対して垂直な方向に変向して原稿読取面Ｘに向けて反射し、副反射面１５は、前記入射光を他方の第２の棒状導光体２３に向けて反射するように形成されている。
同様に、第２の線状光源２における第２の棒状導光体２３における主反射面２４は、ＬＥＤ光源２２からの入射光を長手方向に対して垂直な方向に変向して原稿読取面Ｘに向けて反射し、副反射面２５は、前記入射光を他方の第１の棒状導光体１３に向けて反射するように形成されている。
そしてこの時、第１の導光体１３の副反射面１５からの光は、他方の第２の導光体２３の副反射面２５に向けて指向され、また、反対に、第２の棒状導光体２３の副反射面２５からの光は、他方の第１の導光体１３の副反射面１５に向けて指向されるように位置決めされている。
こうして、図２には、第１および第２の導光体１３、２３の主反射面１５、２５で反射された光は原稿読取面Ｘに向けて指向される態様が示されている。
【００１９】
また、図３（Ａ）に示されるように、第１の導光体１３の副反射面１５によって反射された光が、第２の導光体２３に入射し、この第２の導光体２３の内部で反射を繰り返し、最終的には該第２の導光体２３の主反射面２４から外部に出射し、原稿読取面Ｘに向かう光となる。
そして、図３（Ｂ）に示されるように、第２の導光体２３の副反射面２５から反射されて第１の導光体１３に入射される光についても、同様なことが行われて、第１の主反射面１４から原稿読取面Ｘに向けて出射される。
【００２０】
以上の現象が図４に整理されて示されていて、第１の導光体１３から出射される光Ａには、主反射面１４から原稿読取面Ｘに向かう光Ａ１と、第２の導光体２３に向かう光Ａ２と、該第２の導光体２３から原稿読取面Ｘに向かう光Ａ３とがある。
一方、第２の導光体２３から出射される光Ｂには、主反射面２４から原稿読取面Ｘに向かう光Ｂ１と、第１の導光体１３に向かう光Ｂ２と、該第１の導光体１３から原稿読取面Ｘに向う光Ｂ３とがある。
こうして、線状光源１、２のＬＥＤ光源１２、２２からの光を、それぞれ導光体１３、２３によって原稿読取面Ｘに２方向から照射することができる。見方を変えれば、２つのＬＥＤ光源からの２種類の光を、それぞれ２方向から原稿読取面Ｘに照射できることになる。
【００２１】
こうして２種類の光を使う例としては、上述したように、紙書類のカラー原稿スキャン用途と、フィルムスキャン用途の両方を同じ読取装置によって実現する用途がある。
即ち、図４に示す線状光源において、第１のＬＥＤ光源１２を白色に、第２のＬＥＤ光源２２を青系色とする。
紙類のカラー原稿スキャン用途としては前記第１の白色の光源で読取りができるが、これのみではカラー原稿スキャン用途専用となってしまうところ、本発明では、これに前記第２の青系色の光源を組み合わせることにより、フィルムスキャンにも適した読取用線状光源となり、２種類の用途に適合した読取用光源となる。
なお、本発明でいう青系色とは、主波長（dominant wavelength）がシアン（４９０〜５２０ｎｍ）、ブルー（４６０〜４９０ｎｍ）、またはロイヤルブルー（４４０〜５２０ｎｍ）など、４４０〜５２０ｎｍの波長を主に含む発光色をいう。
【００２２】
また、上記では、紙類とフィルムの別の原稿をそれぞれの適切な波長光で読取る場合を例示したが、紙幣読取や複数種類のインクを用いた印刷物等のように、単一対象物を異なる色の線状光で読み取るスキャナーにも適用できる。
例えば、紙幣読取では、赤色と緑色のＬＥＤ光源を用いて、これらの光を照射し、それぞれの反射光を読み取って、そこに印字された特定の文字などを精度よく判定して、紙幣の真偽、券種（金額）等を読み取ることができる。
また、更には、複数種類のインクを用いて印刷された原稿に対しては、白色光、赤外光、紫外光等のうちで適宜に選択したＬＥＤ光源を用いることによって、正確な読取が可能となる。
【００２３】
また、２つのＬＥＤ光源として、同一の波長を発光するＬＥＤ光源を組み合わせることもできる。
これは、前述したように、同一ＬＥＤ光源といっても、厳密にはそれぞれ全光束量と、色度値が個別的にばらついていて、色度の異なる白色光を発光するＬＥＤを搭載すると複写機の性能（色再現性）にバラツキが生じ、品質的に問題が生じてしまうが、本発明では、これを２つのＬＥＤ光源によって色度の異なる光を混色して、その色度を平準化して最終的に得られる線状光の色味を調整することができるので、複写機の性能のばらつきを解消できる。
【００２４】
図５には他の実施例が示され、図１に示した装置の応用例として、導光体に対するＬＥＤ光源の位置を同一側に揃えた例である。
即ち、第１の線状光源１の第１のＬＥＤ光源１２と、第２の線状光源２の第２のＬＥＤ光源２２を、第１および第２の導光体１３、２３の同じ側に配置した例である。
こうすると、ＬＥＤ光源１２、２２に当接するヒートシンク５を共通化して１つで済むという利点がある。
【００２５】
更に、上記実施例では導光体の一方の端部にのみＬＥＤ光源を配置するものを示したが、各導光体の両端にそれぞれ同一種類のＬＥＤ光源を配置するようにしてもよい。
即ち、図６に示すように、第１の線状光源１の第１の導光体１３の両端に同一種類のＬＥＤ光源１２ａ、１２ｂを配置し、また、第２の線状光源２の第２の導光体２３の両端に同一種類のＬＥＤ光源２２ａ、２２ｂを配置したものである。
なお、この場合、第１の線状光源１のＬＥＤ光源１２ａ、１２ｂと第２の線状光源２のＬＥＤ光源２２ａ、２２ｂとは、同一種類であってもよいし、異なる種類であってもよい。また、ヒートシンク５、５は導光体１３、２３における両端のＬＥＤ光源１２ａ、１２ｂ、１３ａ、１３ｂの両側に設けられる。
こうすることにより、導光体１３、２３からの出射光の光量が大きくなるという利点がある。
【００２６】
以上のように、本発明においては、ＬＥＤ光源と導光体とからなる線状光源を有する読取装置用線状光源装置においては、導光体への入射光を副反射面によって、互いに他方の導光体の副反射面に向けて反射するようにしたことにより、互いの色見の違うＬＥＤ光源からの光を混色して利用することにより、最終的に得られる線状光の色味を調節することができるという効果がある。
また、発光色の異なるＬＥＤ光源を用いることにより、複数種類のインク等で印刷された対象物を的確に読み取ることができ、更には、白色のＬＥＤ光源と青系色のＬＥＤ光源を利用することによって、書類とフィルムの両方を精度よく読み取れる読取光源装置を提供できるものである。
【符号の説明】
【００２７】
１      第１の線状光源
１２      第１のＬＥＤ光源
１３      第１の棒状の導光体
１４      第１の主反射面
１５      第１の副反射面
２      第２の線状光源
２２      第２のＬＥＤ光源
２３      第２の棒状の導光体
２４      第２の主反射面
２５      第２の副反射面
３      台状フレーム
４      棒状フレーム
５      ヒートシンク
Ａ      第１の線状光源からの光
Ｂ      第２の線状光源からの光
Ｘ      原稿読取面
【図１】
2013098144.tif 000003
【図２】
2013098144.tif 000004
【図３】
2013098144.tif 000005
【図４】
2013098144.tif 000006
【図５】
2013098144.tif 000007
【図６】
2013098144.tif 000008
【図７】
2013098144.tif 000009
【図８】
2013098144.tif 000010
【図９】
2013098144.tif 000011